(57)【要約】【課題】複数の枚葉紙を変形させずに縁部を揃えることのできる枚葉紙整理装置を提供することを課題とする。【解決手段】複数の枚葉紙を載置可能な底板と、底板から起立する第一側壁と、底板から起立し、第一側壁に直交する第二側壁と、底板と対向する天板とを有する収容体と、複数の枚葉紙を挟持する挟持手段と、収容体の姿勢を底板と複数の枚葉紙とが鉛直方向で並ぶ第一姿勢と、底板と複数の枚葉紙とが鉛直方向と交差する方向で並ぶ第二姿勢とに切替可能に構成される姿勢変更手段と、底板と天板との間に送風する整理用送風手段と、収容体を振動させる振動装置とを備え、整理用送風手段が送風しつつ収容体の姿勢を第二姿勢に切り替えている状態又は収容体の姿勢が第二姿勢に切り替えられた状態で挟持手段の枚葉紙への挟持を解除することを特徴とする。【選択図】図１
2013086926.tif 000002
【特許請求の範囲】
【請求項１】
複数の枚葉紙を積み重ねた状態で載置可能な底板と、底板から起立する第一側壁と、底板から起立するとともに、第一側壁に直交する少なくとも一つの第二側壁と、底板と対向する天板とを有する収容体と、複数の枚葉紙を一括して挟持する挟持手段と、収容体の姿勢を、底板と複数の枚葉紙のそれぞれとが鉛直方向乃至略鉛直方向で並ぶ第一姿勢と、底板と複数の枚葉紙のそれぞれとが鉛直方向と交差する方向で並ぶ第二姿勢とに切替可能に構成される姿勢変更手段と、底板と天板との間に送風する整理用送風手段と、収容体を振動させる振動装置とを備え、整理用送風手段は、収容体の姿勢を第一姿勢から第二姿勢に切り替えるに先立ち、又は第一姿勢から第二姿勢に切り替えている状態、又は第一姿勢から第二姿勢に切り替えた後の何れかであって、挟持手段が複数の枚葉紙を一括して挟持した後に、送風を開始するように構成され、挟持手段は、送風手段が送風を開始した後に挟持を解除するように構成されていることを特徴とする枚葉紙整理装置。
【請求項２】
姿勢変更手段は、収容体の姿勢を底板と直交する方向に延びる軸線周りで回転可能に構成される請求項１に記載の枚葉紙整理装置。
【請求項３】
天板は、底板と対向する状態と、底板と対向する位置から退避した状態とに切替可能に構成されていることを特徴とする請求項１又は２に記載の枚葉紙整理装置。
【発明の詳細な説明】
【技術分野】
【０００１】
本発明は、複数の枚葉紙のそれぞれの縁部の位置を揃える枚葉紙整理装置に関する。
【背景技術】
【０００２】
従来から、複数の枚葉紙に対して印刷や、切断を行うにあたり、該複数の枚葉紙のそれぞれの縁部の位置を揃える枚葉紙整理装置が用いられている。
【０００３】
かかる枚葉紙整理装置は、複数の枚葉紙を積み重ねた状態で載置可能な底板と、底板から起立する第一側壁と、底板から起立するとともに、第一側壁に直交する一対の第二側壁と、底板と対向する天板とを有する収容体を備える。
【０００４】
また、枚葉紙整理装置は、収容体の姿勢を底板と複数の枚葉紙のそれぞれとが鉛直方向で並ぶ第一姿勢と、底板と複数の枚葉紙のそれぞれとが鉛直方向と交差する方向で並ぶ第二姿勢とに切替可能に構成される姿勢変更手段と、底板と天板との間に送風する整理用送風手段と、収容体を振動させる振動装置とを備えている（特許文献１参照）。
【０００５】
この種の枚葉紙整理装置において、第一姿勢の収容体の底面上に積み重ねられた複数の枚葉紙のそれぞれは、隣り合う枚葉紙と密着した状態になっている。そして、収容体が姿勢変更手段によって第一姿勢から第二姿勢に切り替えられた状態で、且つ整理用送風手段が収容体に送風している状態になると、複数の枚葉紙のそれぞれは、隣り合う枚葉紙との間に風が送り込まれている状態になる。これにより、複数の枚葉紙のそれぞれは、隣り合う枚葉紙との密着状態が解除されるとともに、起立した姿勢を維持することができる状態になる。
【０００６】
このような状態において、振動装置によって収容体を振動させると、複数の枚葉紙のそれぞれは、収容体を介して振動装置からの振動を受け、第一側壁と一対の第二側壁の何れか一方の第二側壁とがなす角部に向かって変位する。これにより、第一側壁と対向する複数の枚葉紙のそれぞれの縁部が該第一側壁の平面上に沿って並び、一対の第二側壁の何れか一方の第二側壁と対向する複数の枚葉紙のそれぞれの縁部が該第二側壁の平面上に沿って並ぶ。このようにして、上記構成の枚葉紙整理装置は、複数の枚葉紙のそれぞれの縁部の位置を揃えることができるとされている。
【先行技術文献】
【特許文献】
【０００７】
【特許文献１】特開平６−２９８４４０号公報
【発明の概要】
【発明が解決しようとする課題】
【０００８】
ところで、上記構成の枚葉紙整理装置において、隣り合う枚葉紙同士の間に十分な風が送り込まれていない状態で収容体の姿勢を第一姿勢から第二姿勢に切り替えると、複数の枚葉紙のそれぞれは、起立することができずに変形してしまう（湾曲したり、折れ曲がったりしてしまう）。このように、上記構成の枚葉紙整理装置は、枚葉紙同士の間のそれぞれに十分な風が送り込まれていない場合、複数の枚葉紙のそれぞれの縁部の位置を揃えることができなくなることが問題となっている。
【０００９】
そこで、本発明は、かかる実情に鑑み、枚葉紙を変形させることなく、該枚葉紙の縁部の位置を揃えることのできる枚葉紙整理装置を提供することを課題とする。
【課題を解決するための手段】
【００１０】
本発明に係る枚葉紙整理装置は、複数の枚葉紙を積み重ねた状態で載置可能な底板と、底板から起立する第一側壁と、底板から起立するとともに、第一側壁に直交する少なくとも一つの第二側壁と、底板と対向する天板とを有する収容体と、複数の枚葉紙を一括して挟持する挟持手段と、収容体の姿勢を、底板と複数の枚葉紙のそれぞれとが鉛直方向乃至略鉛直方向で並ぶ第一姿勢と、底板と複数の枚葉紙のそれぞれとが鉛直方向と交差する方向で並ぶ第二姿勢とに切替可能に構成される姿勢変更手段と、底板と天板との間に送風する整理用送風手段と、収容体を振動させる振動装置とを備え、整理用送風手段は、収容体の姿勢を第一姿勢から第二姿勢に切り替えるに先立ち、又は第一姿勢から第二姿勢に切り替えている状態、又は第一姿勢から第二姿勢に切り替えた後の何れかであって、挟持手段が複数の枚葉紙を一括して挟持した後に、送風を開始するように構成され、挟持手段は、送風手段が送風を開始した後に挟持を解除するように構成されていることを特徴とする。
【００１１】
上記構成の枚葉紙整理装置は、挟持手段によって複数の枚葉紙を一括して挟持することで、複数の枚葉紙のそれぞれの収容体内での移動を規制することができる。そのため、枚葉紙整理装置は、収容体の姿勢を第一姿勢から第二姿勢に切り替えるにあたり、複数の枚葉紙のそれぞれが変形すること（湾曲したり、折れ曲がったりすること）を防止することができる。
【００１２】
また、上記構成の枚葉紙整理装置では、整理用送風手段が収容体の姿勢を第一姿勢から第二姿勢に切り替えるに先立ち、又は第一姿勢から第二姿勢に切り替えている状態、又は第一姿勢から第二姿勢に切り替えた後の何れかであって、挟持手段が複数の枚葉紙を一括して挟持した後に、送風を開始するように構成され、送風手段が送風を開始した後に挟持手段が複数の枚葉紙に対する挟持を解除するように構成されているため、枚葉紙同士の間のそれぞれに十分な量の風が送り込まれている状態で、複数の枚葉紙のそれぞれの収容体内での移動に対する規制が解除される。このようにすることで、枚葉紙整理装置は、枚葉紙同士の密着を解除するとともに、複数の枚葉紙のそれぞれを確実に起立させた姿勢で維持させることができる。
【００１３】
そして、振動装置によって収容体を振動させると、複数の枚葉紙のそれぞれは、収容体を介して振動装置からの振動を受け、第一側壁と一対の第二側壁の何れか一方の第二側壁側とがなす角部に向かって変位する。これにより、収容体の第一側壁と対向する複数の枚葉紙のそれぞれの縁部が該第一側壁の平面上に沿って並び、収容体の一対の第二側壁の何れか一方の第二側壁と対向する複数の枚葉紙のそれぞれの縁部が該第二側壁の平面上に沿って並ぶ。このようにして、上記構成の枚葉紙整理装置は、複数の枚葉紙のそれぞれの縁部の位置を揃えることができる。
【００１４】
本発明の一態様として、姿勢変更手段は、収容体の姿勢を底板と直交する方向に延びる軸線周りで回転可能に構成されていてもよい。このようにすれば、枚葉紙整理装置は、収容体の姿勢を第一姿勢から第二姿勢に切り替えると、一方の第二側壁が他方の第二側壁よりも下側になる状態と、収容体の姿勢を第一姿勢から第二姿勢に切り替えると、搬送方向上流側の第二側壁が搬送方向下流側の第二側壁よりも下側になる状態とに切り替えることができる。
【００１５】
すなわち、枚葉紙整理装置は、第一側壁と一方側の第二側壁との直交二面で複数の枚葉紙のそれぞれの縁部の位置を揃えることができる状態と、枚葉紙整理装置は、第一側壁と他方側の第二側壁との直交二面で複数の枚葉紙のそれぞれの縁部の位置を揃えることができる状態とに切り替えることができる。従って、枚葉紙整理装置は、より確実に複数の枚葉紙のそれぞれの縁部の位置を揃えることができるうえに、汎用性も高まる。
【００１６】
天板は、底板と対向する状態と、底板と対向する位置から退避した状態とに切替可能に構成されていてもよい。このようにすれば、枚葉紙整理装置は、天板を底板と対向する位置から退避した状態にすることで、底板と対向する部分を開放することができる。これにより、枚葉紙整理装置は、上方から底板上に複数の枚葉紙を積み重ねて載置することができるため、汎用性を高めることができる。
【発明の効果】
【００１７】
以上のように、本発明の枚葉紙整理装置によれば、複数の枚葉紙のそれぞれを変形させることなく、該枚葉紙の縁部の位置を揃えることができるという優れた効果を奏し得る。
【図面の簡単な説明】
【００１８】
【図１】図１は、本発明の一実施形態に係る枚葉紙整理装置の正面図である。
【図２】図２は、同実施形態に係る枚葉紙整理装置の側面図である。
【図３】図３は、同実施形態に係る枚葉紙整理装置の平面図であって、図３（ａ）は、天板が底板と対向する位置から退避した状態における枚葉紙整理装置の平面図であり、図３（ｂ）は、天板が底板と対向している状態における枚葉紙整理装置の平面図である。
【図４】図４は、同実施形態に係る枚葉紙整理装置を用いた枚葉紙の整理方法の説明図であって、複数の枚葉紙を上流側テーブルから枚葉紙整理装置に搬入している状態である。
【図５】図５は、同実施形態に係る枚葉紙整理装置を用いた枚葉紙の整理方法の説明図であって、図５（ａ）は、収容体の内部に複数の枚葉紙が収容されている状態であり、図５（ｂ）は、複数の枚葉紙を挟持手段によって挟持している状態である。
【図６】図６は、同実施形態に係る枚葉紙整理装置を用いた枚葉紙の整理方法の説明図であって、図６（ａ）は、複数の枚葉紙を挟持手段によって挟持しつつ、収容体の姿勢を第一姿勢から第二姿勢に切り替えた状態であり、図６（ｂ）は、収容体の姿勢を第一姿勢から第二姿勢に切り替えた後に、挟持手段の複数の枚葉紙に対する挟持を解除した状態である。
【図７】図７は、同実施形態に係る枚葉紙整理装置を用いた枚葉紙の整理方法の説明図であって、図７（ａ）は、複数の枚葉紙の縁部のそれぞれの位置を揃えた後に、該複数の枚葉紙を固定手段によって挟持している状態であり、図７（ｂ）は、該複数の枚葉紙を固定手段によって挟持しつつ、収容体の姿勢を第一姿勢から第二姿勢に切り替えた状態である。
【図８】図８は、同実施形態に係る枚葉紙整理装置を用いた枚葉紙の整理方法の説明図であって、複数の枚葉紙のそれぞれを収容体から下流側テーブルに搬出している状態である。
【発明を実施するための形態】
【００１９】
以下、本発明の一実施形態に係る枚葉紙整理装置について、添付図面を参照しつつ説明する。本実施形態に係る枚葉紙整理装置は、複数の枚葉紙に対して印刷や、切断を行うにあたり、該複数の枚葉紙のそれぞれの縁部の位置を揃えるものである。
【００２０】
枚葉紙整理装置は、図１、及び図２に示す如く、複数の枚葉紙Ｐ，Ｐ…を積み重ねた状態で載置可能な底板２０と、底板２０から起立する第一側壁２１と、底板２０から起立するとともに、第一側壁２１に直交する一対の第二側壁２２，２２と、底板２０と対向する天板２３とを有する収容体２を備えている。すなわち、枚葉紙整理装置１は、第一側壁２１と対向する部分が開放された箱状の収容体２とを備えている。
【００２１】
枚葉紙整理装置１は、複数の枚葉紙Ｐ，Ｐ…を一括して挟持する挟持手段３を備えている。また、複数の枚葉紙Ｐ，Ｐ…のそれぞれの端部を揃えた後に該複数の枚葉紙Ｐ，Ｐ…を一括して挟持する固定手段４を備えている。
【００２２】
枚葉紙整理装置１は、収容体２の姿勢を、底板２０と複数の枚葉紙Ｐ，Ｐ…のそれぞれとが鉛直方向（以下、第一方向とする）で並ぶ第一姿勢と、底板２０と複数の枚葉紙Ｐ，Ｐ…のそれぞれとが第一方向と交差する方向で並ぶ第二姿勢とに切替可能に構成される姿勢変更手段５を備えている。
【００２３】
枚葉紙整理装置１は、底板２０と天板２３との間に送風する整理用送風手段６を備えている。また、枚葉紙整理装置１は、枚葉紙整理装置１は、複数の枚葉紙Ｐ，Ｐ…の収容体２の底板２０上への搬入、及び収容体２の底板２０上からの搬出時に、収容体２の内部に送風する搬送用送風手段７を備えている。さらに、枚葉紙整理装置１は、収容体２を振動させる振動装置８を備えている（図２参照）。
【００２４】
底板２０は、厚みを有する略矩形の板状に形成されている。そのため、底板２０の一方側の面（以下、内部底面とする）２００が収容体２の内部の底面を構成し、底板２０の他方側の面（以下、外部底面とする）２０１が収容体２の外部の底面を構成する。そして、底板２０には、長手をなす複数の長孔２０２，２０２…が設けられている（図３（ａ）参照）。本実施形態に係る底板２０の外部底面２０１には、ベースＢ１上に位置するサブベースＢ２が設けられている。そのため、収容体２は、サブベースＢ２を介してベースＢ１上に設けられている。
【００２５】
第一側壁２１は、箱状に形成されている。そのため、第一方向と直交する方向（以下、第二方向とする）における第一側壁２１の一方側の面（以下、内部背面とする）２１０が収容体２の内部の背面を構成し、第二方向における第一側壁２１の他方側の面（以下、外部背面とする）２１１が外部の背面を構成する。そして、第一側壁２１の内部背面２１０には、複数の第一送風孔２１２，２１２…が設けられている。複数の第一送風孔２１２，２１２…のそれぞれは、第一方向に沿って長手をなすスリット状に形成されている。また、複数の第一送風孔２１２，２１２…のそれぞれは、第一方向及び第二方向のそれぞれと直交する方向（以下、第三方向とする）に間隔をあけて並んでいる。さらに、第一側壁２１の外部背面２１１には、内部の空間に連通する第一流入孔２１３が設けられている。
【００２６】
一対の第二側壁２２，２２のそれぞれは、箱状に形成されている。そして、一対の第二側壁２２，２２は、第三方向における底板２０の端部のそれぞれに設けられている。そのため、一対の第二側壁２２，２２のそれぞれの第三方向における一方側の面（以下、内部側面とする）２２０が収容体２の内部の側面を構成し、一対の第二側壁２２，２２のそれぞれの第三方向における他方側の面（以下、外部側面とする）２２１が収容体２の外部の側面を構成する。
【００２７】
そして、一対の第二側壁２２，２２のそれぞれの内部側面２２０には、複数の第二送風孔２２２，２２２…が設けられている。複数の第二送風孔２２２，２２２…のそれぞれは、第一方向に沿って長手をなすスリット状に形成されている。また、複数の第二送風孔２２２，２２２…のそれぞれは、第二方向に間隔をあけて並んでいる。さらに、一対の第二側壁２２，２２のそれぞれの外部側面２２１には、内部の空間に連通する第二流入孔２２３が設けられている。
【００２８】
本実施形態に係る一対の第二側壁２２，２２のそれぞれの基端部は、ヒンジＲを介して底板２０に接続されている。これにより、一対の第二側壁２２，２２のそれぞれは、底板２０から起立した姿勢と、横臥した姿勢（内部側面２２０が底板２０の内部底面２００と同一平面上に位置する姿勢）とに切替可能に構成されている。これに伴い、一対の第二側壁２２，２２のそれぞれは、天板２３に係合可能に構成され、自身の姿勢を底板２０から起立した状態で固定するためのロックレバー２２４を備えている。
【００２９】
天板２３は、厚みを有する板状に形成されている。そのため、第一方向における天板２３の一方側の面（以下、内部上面とする）２３０が収容体２の内部の上面を構成し、第一方向における天板２３の他方側の面（以下、外部上面とする）２３１が収容体２の外部の上面を構成する。
【００３０】
天板２３には、図３（ｂ）に示す如く、挿通孔２３２が設けられている。挿通孔２３２は、第二方向における天板２３の一端部側で、且つ第三方向における天板２３の中央部に設けられている。また、天板２３には、切欠部２３３が設けられている。切欠部２３３は、第三方向における天板２３の中央部で、且つ第二方向における天板２３の他端部から一端側に向けて長手をなして形成されている。
【００３１】
そして、天板２３は、第二方向における一端部がヒンジＲを介して第一側壁２１の上端部に接続されて構成されている。これにより、天板２３は、底板２０と対向する姿勢と、底板２０と対向する位置から退避した姿勢とに切替可能に構成されている。本実施形態では、一対の第二側壁２２，２２のそれぞれが備える一対のロックレバー２２４，２２４が天板２３を底板２０と対向する姿勢で維持させる機能も有している。
【００３２】
図１、及び図２に戻り、本実施形態に係る挟持手段３は、収容体２の底板２０上に積み重ねられた複数の枚葉紙Ｐ，Ｐ…を底板２０に向けて押圧することによって、該複数の枚葉紙Ｐ，Ｐ…を一括して挟持するように構成されている。すなわち、挟持手段３は、底板２０と協働して複数の枚葉紙Ｐ，Ｐ…を一括して挟持するように構成されている。
【００３３】
具体的に説明すると、挟持手段３は、第一駆動装置３１によって、挿通孔２３２から収容体２の内部に進出した状態と、収容体２の内部から挿通孔２３２に退避した状態とに切替可能に構成される第一押圧部３０を備えている。第一駆動装置３１は、挟持用シリンダ本体３１０と、挟持用ピストンロッド３１１とを備える。そして、第一押圧部３０は、挟持用ピストンロッド３１１の先端部に取り付けられている。また、挟持手段３は、挟持用シリンダ本体３１０が天板２３の外部上面２３１における挿通孔２３２に対応する位置に設けられており、挟持用ピストンロッド３１１の伸縮に伴って第一押圧部３０が底板２０に接近、又は底板２０から離間するように構成されている。
【００３４】
本実施形態に係る固定手段４は、収容体２の底板２０上に積み重ねられた複数の枚葉紙Ｐ，Ｐ…を底板２０に向けて押圧することによって、該複数の枚葉紙Ｐ，Ｐ…を一括して挟持するように構成されている。すなわち、固定手段４は、底板２０と協働して複数の枚葉紙Ｐ，Ｐ…を一括して挟持するように構成されている。
【００３５】
具体的に説明すると、固定手段４は、第二駆動装置４１によって、切欠部２３３から収容体２の内部に進出した状態と、収容体２の内部から切欠部２３３に退避した状態とに切替可能に構成される第二押圧部４０を備えている。第二駆動装置４１は、固定用シリンダ本体４１０と、固定用ピストンロッド４１１とを備えている。そして、第二押圧部４０は、固定用ピストンロッド４１１の先端部に取り付けられている。また、固定手段４は、固定用シリンダ本体４１０が天板２３の外部上面２３１における切欠部２３３に対応する位置に設けられており、固定用ピストンロッド４１１の伸縮に伴って第二押圧部４０が底板２０に接近、又は底板２０から離間するように構成されている。
【００３６】
姿勢変更手段５は、収容体２を第三方向に延びる軸線周りで回転させることができるように構成される第一回転部５０を備えている。また、姿勢変更手段５は、収容体２を第一方向、すなわち、底板２０と天板２３とが対向する方向に延びる軸線周りで回転させることができるように構成される第二回転部５１を備える。
【００３７】
第一回転部５０は、第三方向におけるサブベースＢ２の端部のそれぞれに設けられ、第三方向に沿って延びる一対の第一回転軸５００，５００と、第一回転軸５００を挿入可能に構成されるとともに、ベースＢ１上に設けられる一対の第一軸受５０１，５０１と、サブベースＢ２を回転させるための回転用駆動装置５０２とを備えている。
【００３８】
回転用駆動装置５０２は、ベースＢ１に固定される回転用シリンダ本体５０２ａと、先端部がサブベースＢ２に軸支される回転用ピストンロッド５０２ｂとを備えている。
【００３９】
第二回転部５１は、収容体２の底板２０の外部底面２０１から第一方向に沿って突出するように設けられた第二回転軸５１０と、第二回転軸５１０を挿入可能に構成されるとともに、サブベースＢ２に設けられる第二軸受５１１とを備えている。また、第二回転部５１は、所定の回転量毎に収容体２の第二回転軸５１０の軸心を中心とした回転を規制可能に構成された位置決部５１２を備えている。
【００４０】
位置決部５１２は、サブベースＢ２に設けられた複数の位置決孔５１２ａ，５１２ａ…と、該位置決孔５１２ａ，５１２ａ…の何れかに挿通可能に構成された突出部５１２ｂと、突出部５１２ｂを位置決孔５１２ａに挿通させた状態と、位置決孔５１２ａから退避させた状態とに切り替えるための操作レバー５１２ｃとを備えている。本実施形態に係る第二回転部５１は、サブベースＢ２と収容体２の底板２０との間隔を一定に保つための複数の補助ガイド５１３，５１３…をさらに備えている。
【００４１】
整理用送風手段６は、第一側壁２１に設けられる第一送風手段６０と、一対の第二側壁２２，２２のそれぞれに設けられる一対の第二送風手段６１，６１とを備える。第一送風手段６０は、筒状に形成され、内部の空間が第一側壁２１の第一流入孔２１３と連通するように構成される第一接続パイプ６００と、該第一接続パイプ６００に連結されるホースＨと、該ホースＨに連結される送風機（図示しない）とを備えている。
【００４２】
これにより、第一送風手段６０は、送風機によって発生させた風を第一側壁２１の内部の空間に送ることができる。そして、第一側壁２１の内部の空間に送られた風は、複数の第一送風孔２１２，２１２…のそれぞれを介して収容体２の内部に送り込まれる。
【００４３】
一対の第二送風手段６１，６１のそれぞれは、筒状に形成され、内部の空間が第二側壁２２の第二流入孔２２３と連通するように構成される第二接続パイプ６１０と、第二接続パイプ６１０に連結されるホースＨと、該ホースＨに連結される送風機とを備えている。これにより、一対の第二送風手段６１，６１のそれぞれは、送風機によって発生させた風を第二側壁２２の内部の空間に送ることができる。そして、第二側壁２２の内部の空間に送られた風は、複数の第二送風孔２２２，２２２…を介して収容体２の内部に送り込まれる。
【００４４】
搬送用送風手段７は、筒状に形成され、一方側の開口部が閉塞され、他方側の開口部から送風が行われる第一送風路７０と、第一送風路７０に連結され、該第一送風路７０に送り込まれた風を収容体２の内部に送り込むための複数の第二送風路７１，７１…とを備えている。
【００４５】
第一送風路７０は、長手方向に沿って間隔をあけて複数の第一貫通孔７００，７００…が設けられている。そして、第一送風路７０の複数の第一貫通孔７００，７００…と対応する位置のそれぞれには、接続用口部７０１が設けられている。複数の接続用口部７０１，７０１…のそれぞれは、筒状に形成されている。そして、複数の接続用口部７０１，７０１…のそれぞれは、内部の空間が第一送風路７０の第一貫通孔７００，７００…と連通するように構成されている。
【００４６】
複数の第二送風路７１，７１…のそれぞれは、長手をなす管状に形成され、一方側の開口部が閉塞されている。複数の第二送風路７１，７１…のそれぞれは、自身の長手方向に沿って間隔をあけて複数の第二貫通孔７１０，７１０…が設けられている。
【００４７】
そして、第二送風路７１，７１…の複数の第二貫通孔７１０，７１０…と対応する位置のそれぞれには、送風用口部７１１が設けられている。複数の送風用口部７１１，７１１…のそれぞれは、筒状に形成されている。そして、複数の送風用口部７１１，７１１…のそれぞれは、内部の空間が第二送風路７１，７１…の第二貫通孔７１０，７１０…と連通するように構成されている。
【００４８】
複数の第二送風路７１，７１…のそれぞれは、他方側の開口部が第一送風路７０の接続用口部７０１に接続されるとともに、送風用口部７１１が底板２０の複数の長孔２０２のそれぞれと対応する場所に位置するように構成されている。これにより、搬送用送風手段７は、第一送風路７０の他方側の開口部から送り込まれた風を収容体２の内部に送り込むことができるように構成されている。
【００４９】
振動装置８は、第一側壁２１における収容体２の外面の一部を構成する部分に設けられている。
【００５０】
本実施形態に係る枚葉紙整理装置１は、以上の通りである。続いて、枚葉紙整理装置１を用いた枚葉紙の整理方法についての説明を行うこととする。なお、本実施形態では、搬送方向上流側（複数の枚葉紙Ｐ，Ｐ…を搬送する方向における上流側）から搬送された複数の枚葉紙Ｐ，Ｐ…のそれぞれの縁部の位置を揃えた後に、該複数の枚葉紙Ｐ，Ｐ…を搬送方向下流側（複数の枚葉紙Ｐ，Ｐ…を搬送する方向における下流側）に搬送することを前提に説明を行うこととする。
【００５１】
複数の枚葉紙Ｐ，Ｐ…のそれぞれの縁部の位置を揃えるにあたり、枚葉紙整理装置１は、図４に示す如く、上流側テーブルＴ１と下流側テーブルＴ２との間に配置される。上流側テーブルＴ１は、横臥した状態の第二側壁２２の第三方向における寸法に対応する分だけ枚葉紙整理装置１から搬送方向上流側に離間した位置に配置されている。下流側テーブルＴ２は、横臥した状態の第二側壁２２の第三方向における寸法に対応する分だけ枚葉紙整理装置１から搬送方向下流側に離間した位置に配置されている。
【００５２】
さらに、本実施形態において、複数の枚葉紙Ｐ，Ｐ…は、底板２０（内部底面２００）と天板２３（内部上面２３０）との間隔よりも厚みが少なくなるように積み重ねられる。
【００５３】
そして、上流側テーブルＴ１から搬送される複数の枚葉紙Ｐ，Ｐ…のそれぞれの縁部の位置を揃えるにあたり、複数の枚葉紙Ｐ，Ｐ…を搬送する方向における搬送方向上流側の上流側の第二側壁２２が横臥した状態にされる。これにより、搬送方向上流側の第二側壁２２の内部側面２２０は、上流側テーブルＴ１の上面、及び底板２０の内部底面２００と同一平面状に位置する状態になる。
【００５４】
このような状態で、上流側の第二側壁２２に接続された整理用送風手段６による送風を行い、上流側の第二側壁２２の第二送風孔２２２，２２２…から風が吹き出ている状態にする。また、底板２０に接続された搬送用送風手段７による送風を行い、底板２０の複数の長孔２０２，２０２…を介して収容体２の内部に風が送り込まれている状態にする。これにより、複数の枚葉紙Ｐ，Ｐ…を第二側壁２２の内部側面２２０上を通過させて、該複数の枚葉紙Ｐ，Ｐ…を上流側テーブルＴ１から底板２０の内部底面２００上に搬入する。
【００５５】
そして、図５（ａ）に示す如く、複数の枚葉紙Ｐ，Ｐ…が上流側テーブルＴ１から底板２０の内部底面２００上に到達した状態で、搬送方向上流側の第二側壁２２を底板２０から起立させた後に、図５（ｂ）に示す如く、挟持手段３の第一押圧部３０を天板２３の挿通孔２３２から収容体２の内部に進出させる。これにより、複数の枚葉紙Ｐ，Ｐ…は、一括して挟持手段３と底板２０とによって挟持された状態になる。
【００５６】
そして、収容体２を第二回転軸５１０の軸心を中心として所定量回転させた状態で収容体２の第二回転軸５１０の軸心を中心とした回転を規制する。なお、便宜上、以降の説明に用いる図においては、収容体２を第二回転軸５１０の軸心を中心として所定量回転させた図とはなっていない。
【００５７】
さらに、図６（ａ）に示す如く、収容体２を第一回転軸５００の軸心周りで回転させて、該収容体２の姿勢を第一姿勢から第二姿勢に切り替えながら整理用送風手段６（第一送風手段６０及び一対の第二送風手段６１，６１）による送風を行う。整理用送風手段６による送風は、少なくとも収容体２の姿勢が第二姿勢に切り替わる手前において行うように構成されていればよいが、例えば、整理用送風手段６による送風は、挟持手段３と底板２０とが複数の枚葉紙Ｐ，Ｐ…を一括して挟持した状態になったときに送風を開始するように構成されていることが好ましい。
【００５８】
このようにすれば、収容対２の姿勢を第一姿勢から第二姿勢に切り替えるにつれて、上部側の複数の枚葉紙Ｐ，Ｐ…同士の間から順に風が送り込まれる。そのため、枚葉紙整理装置１は、枚葉紙Ｐ，Ｐ…同士の間のそれぞれに対して均一に風を送り込むことができる。これにより、枚葉紙整理装置１は、枚葉紙Ｐ，Ｐ…同士の密着をより確実に解除することができる。
【００５９】
そして、収容体２の姿勢変更（第一姿勢から第二姿勢への変更）を行いつつ、挟持手段３と底板２０とによる該複数の枚葉紙Ｐ，Ｐ…への挟持を解除する。収容体２の姿勢変更（第一姿勢から第二姿勢への変更）において、収容体２は、第二回転軸５１０の軸心を中心として所定量回転している状態で第一回転軸５００の軸心周りで回転することになる。そのため、収容体２は、一方側の第二側壁２２（本実施形態では、搬送方向下流側の第二側壁２２）が他方側の第二側壁２２（本実施形態では、搬送方向上流側の第二側壁２２）よりも常に下側に位置している状態で、第一姿勢から第二姿勢に切り替えられる。このようにすることで、図６（ｂ）に示す如く、複数の枚葉紙のそれぞれＰ，Ｐ…は、隣り合う枚葉紙Ｐとの密着状態が解除されるとともに、起立した姿勢を維持することができる状態になる。
【００６０】
そして、収容体２の姿勢が第一姿勢から第二姿勢に切り替えられた状態で振動装置８によって収容体２を振動させると、複数の枚葉紙Ｐ，Ｐ…のそれぞれは、収容体２を介して振動装置８からの振動を受け、第一側壁２１と搬送方向下流側の第二側壁２２とがなす角部に向かって変位する。これにより、収容体２の第一側壁２１と対向する複数の枚葉紙Ｐ，Ｐ…のそれぞれの縁部が該第一側壁２１の平面上に沿って並び、収容体２の搬送方向下流側の第二側壁２２と対向する複数の枚葉紙Ｐ，Ｐ…のそれぞれの縁部が該第二側壁２２の内部側面２２０上に沿って並ぶ。これにより、複数の枚葉紙Ｐ，Ｐ…のそれぞれの縁部位置が揃った状態になる。
【００６１】
そして、振動装置８を停止させた後に、固定手段４の第二押圧部４０を天板２３の切欠部２３３から収容体２の内部に進出させる。これにより、複数の枚葉紙Ｐ，Ｐ…は、図７（ａ）に示す如く、一括して固定手段４と底板２０とによって挟持された状態になる。
【００６２】
このような状態で、収容体２を第一回転軸５００の軸心周りで回転させることによって、図７（ｂ）に示す如く、該収容体２の姿勢を第二姿勢から第一姿勢に切り替えつつ、整理用送風手段６による送風を停止する。そして、収容体２を第二回転軸５１０の軸心を中心として回転させることで、該収容体２の一対の第二側壁２２，２２が第三方向（搬送方向）に沿って並ぶ状態にする。さらに、固定手段４と底板２０とが複数の枚葉紙Ｐ，Ｐ…を一括して挟持している状態で、枚葉紙Ｐ，Ｐ…同士の間のそれぞれに残留している風を抜き出すことで、隣り合う枚葉紙Ｐ，Ｐ…同士を密着させた状態にする。
【００６３】
そして、図８に示す如く、搬送方向下流側の第二側壁２２を横臥した状態にし、搬送方向上流側の第二側壁２２の内部側面２２０を上流側テーブルＴ１の上面、及び底板２０の内部底面２００と同一平面状に位置する状態にする。そして、下流側の第二側壁２２に接続された整理用送風手段６による送風を行い、下流側の第二側壁２２の第二送風孔２２３から風が吹き出手いる状態にする。さらに、底板２０に接続された搬送用送風手段７による送風を行い、底板２０の複数の長孔２０２，２０２…を介して収容体２の内部に風が送り込まれている状態にする。そして、複数の枚葉紙Ｐ，Ｐ…を下流側の第二側壁２２の内部側面２２０上を通過させて、該複数の枚葉紙Ｐ，Ｐ…を底板２０の内部底面２００から下流側テーブルＴ２へと搬出する。
【００６４】
以上のように、本実施形態に係る枚葉紙整理装置１、及び枚葉紙整理装置１を用いた枚葉紙の整理方法によれば、枚葉紙同士の間のそれぞれに十分な量の風を送っている状態で該複数の枚葉紙Ｐ，Ｐ…に対する挟持を解除することができるため、隣り合う枚葉紙同士の密着状態を確実に解除することができ、且つ複数の枚葉紙のそれぞれを確実に起立した姿勢にすることができる。従って、本実施形態に係る枚葉紙整理装置１、及び枚葉紙整理装置１を用いた枚葉紙の整理方法によれば、複数の枚葉紙Ｐ，Ｐ…のそれぞれを変形させることなく、該複数の枚葉紙Ｐ，Ｐ…のそれぞれの縁部の位置を揃えることができるという優れた効果を奏し得る。
また、
【００６５】
なお、本発明に係る枚葉紙整理装置及び枚葉紙整理装置を用いた枚葉紙の整理方法は、上記実施形態に限定されるものではなく、本発明の要旨を逸脱しない範囲内において種々変更を加え得ることは勿論である。
【００６６】
上記実施形態において、第一回転部５０は、一対の第一回転軸５００，５００を備えていたが、これに限定されるものではなく、例えば、第一回転軸５００を第三方向におけるサブベースＢ２の一端部から他端部に亘って延びる一本の軸で構成してもよい。
【００６７】
また、上記実施形態において、挟持手段３の第一押圧部３０は、複数の枚葉紙Ｐ，Ｐ…を底板２０に向けて押圧するように構成されていたが、これに限定されるものではなく、例えば、複数の枚葉紙Ｐ，Ｐ…を天板２３に向けて押圧するように構成してもよい。
【００６８】
また、上記実施形態において、挟持手段３の第一押圧部３０は、複数の枚葉紙Ｐ，Ｐ…を底板２０に向けて押圧するように構成されていたが、これに限定されるものではなく、例えば、複数の枚葉紙Ｐ，Ｐ…を底板２０に向けて押圧するとともに、天板２３に向けても押圧するように構成してもよい。このようにすれば、枚葉紙整理装置１は、天板２３側と底板２０側とから複数の枚葉紙Ｐ，Ｐ…を挟み込むようにして挟持することができる。
【００６９】
また、上記実施形態において、第二側壁２２は、ヒンジＲを介して底板２０に接続されることで、底板２０から起立した姿勢と、横臥した姿勢とに切り替え可能に構成されていたが、これに限定されるものではなく、例えば、第二側壁２２を底板２０と天板２３とが対向する方向に沿って移動可能に構成してもよい。このようにする場合、第二送風孔２２２は、第二側壁２２の上端部に設けられることが好ましい。
【００７０】
また、上記実施形態において、第一側壁２１が整理用送風手段６としての第一送風手段６０を備え、一対の第二側壁２２，２２のそれぞれが整理用送風手段６としての第二送風手段６１を備えていたが、これに限定されるものではなく、例えば、第一側壁２１のみが整理用送風手段６としての第一送風手段６０を備えるようにしてもよい。
【００７１】
また、上記実施形態において、複数の第一送風孔２１２，２１２…のそれぞれは、スリット状に形成されていたが、これに限定されるものではなく、例えば、複数の貫通孔によって構成してもよい。
【００７２】
また、上記実施形態において、複数の第二送風孔２２２，２２２…のそれぞれは、スリット状に形成されていたが、これに限定されるものではなく、例えば、複数の貫通孔によって構成してもよい。
【００７３】
また、上記実施形態において、収容体２の姿勢を第一姿勢から第二姿勢に切り替えると、搬送方向下流側の第二側壁２２が搬送方向上流側の第二側壁２２よりも下側に位置している状態になるようにしていたが、これに限定されるものではなく、例えば、収容体２の姿勢を第一姿勢から第二姿勢に切り替えると、搬送方向上流側の第二側壁２２が搬送方向下流側の第二側壁２２よりも下側に位置している状態になるようにしてもよい。この場合、枚葉紙整理装置１は、第一側壁２１（内部底面２１０）と搬送方向上流側の第二側壁２２（内部側面２２０）との直行二面によって複数の枚葉紙Ｐ，Ｐ…の縁部の位置が揃えられることになる。
【００７４】
また、上記実施形態では、収容体２の姿勢を第一姿勢から第二姿勢に切り替えながら
挟持手段３と底板２０とによる複数の枚葉紙Ｐ，Ｐ…への挟持を解除していたが、これに限定されるものではなく、例えば、収容体２の姿勢を第一姿勢から第二姿勢に切り替えた後に挟持手段３と底板２０とによる複数の枚葉紙Ｐ，Ｐ…への挟持を解除するようにしてもよい。
【００７５】
また、上記実施形態では、収容体２の姿勢を第一姿勢から第二姿勢に切り替えながら整理用送風手段６による送風を行っていたが、これに限定されるものではなく、例えば、複数の枚葉紙Ｐ，Ｐ…が挟持手段３の第一押圧部３０によって挟持されていれば、収容体２の姿勢を第一姿勢から第二姿勢に切り替えるに先立って整理用送風手段６による送風を行ってもよい。
【００７６】
また、上記実施形態では、収容体２の姿勢を第一姿勢から第二姿勢に切り替えながら整理用送風手段６による送風を行っていたが、これに限定されるものではなく、例えば、複数の枚葉紙Ｐ，Ｐ…が挟持手段３の第一押圧部３０によって挟持されていれば、収容体２の姿勢を第一姿勢から第二姿勢に切り替えた後に整理用送風手段６による送風を行ってもよい。
【００７７】
また、上記実施形態では、収容体２の姿勢を第二姿勢から第一姿勢に切り替えつつ、整理用送風手段６による送風を停止していたが、これに限定されるものではなく、例えば、複数の枚葉紙Ｐ，Ｐ…のそれぞれの縁部の位置が揃った段階で整理用送風手段６による送風を停止してもよい。より具体的には、固定手段４と底板２０とが複数の枚葉紙Ｐ，Ｐ…を一括して挟持した後に整理用送風手段６による送風を停止してもよい。
【００７８】
また、上記実施形態では、固定手段４と底板２０とが複数の枚葉紙Ｐ，Ｐ…を一括して挟持した状態で収容体２の姿勢を第一姿勢から第二姿勢に切り替えていたが、これに限定されるものではなく、例えば、整理用送風手段６による送風が停止していれば、収容体２を第二姿勢から第一姿勢に切り替えつつ固定手段４と底板２０とが複数の枚葉紙Ｐ，Ｐ…を一括して挟持するように構成してもよい。このようにする場合、固定手段４と底板２０とは、収容体２が第三方向において、約１５度傾斜している状態で複数の枚葉紙Ｐ，Ｐ…を一括して挟持するように構成することが好ましい。
【符号の説明】
【００７９】
１…枚葉紙整理装置、２…収容体、３…挟持手段、４…固定手段、５…姿勢変更手段、６…整理用送風手段、７…搬送用送風手段、８…振動装置、２０…底板、２１…第一側壁、２２…第二側壁、２３…天板、３０…第一押圧部、３１…第一駆動装置、４０…第二押圧部、４１…第二駆動装置、５０…第一回転部、５１…第二回転部、６０…第一送風手段、６１…第二送風手段、７０…第一送風路、７１…第二送風路、２００…内部底面、２０１…外部底面、２０２…長孔、２１０…内部背面、２１１…外部背面、２１２…第一送風孔、２１３…第一流入孔、２２０…内部側面、２２１…外部側面、２２２…第二送風孔、２２３…第二流入孔、２２４…ロックレバー、２３１…外部上面、２３２…挿通孔、２３３…切欠部、３１０…挟持用シリンダ本体、３１１…挟持用ピストンロッド、４１０…固定用シリンダ本体、４１１…固定用ピストンロッド、５００…第一回転軸、５０１…第一軸受、５０２…回転用駆動装置、５０２ａ…回転用シリンダ本体、５０２ｂ…回転用ピストンロッド、５１０…第二回転軸、５１１…第二軸受、５１２…位置決部、５１２ａ…位置決孔、５１２ｂ…突出部、５１２ｃ…操作レバー、５１３…補助ガイド、６００…第一接続パイプ、６１０…第二接続パイプ、７００…第一貫通孔、７０１…接続用口部、７１０…第二貫通孔、７１１…送風用口部、Ｂ１…ベース、Ｂ２…サブベース、Ｈ…ホース、Ｐ…枚葉紙、Ｒ…ヒンジ、Ｔ１…上流側テーブル、Ｔ２…下流側テーブル
【図１】
2013086926.tif 000003
【図２】
2013086926.tif 000004
【図３】
2013086926.tif 000005
【図４】
2013086926.tif 000006
【図５】
2013086926.tif 000007
【図６】
2013086926.tif 000008
【図７】
2013086926.tif 000009
【図８】
2013086926.tif 000010